(57)【要約】【課題】広い周波数帯域の信号強度の測定を可能にする受信装置を提供する。【解決手段】受信装置１００は、受信したＲＦ信号と第１の局部発振信号とを混合機２Ａで混合して第１のＩＦ信号を生成して復調・出力する一方で、第１のＩＦ信号を、所定の掃引幅で掃引し、掃引した周波数領域における受信信号の信号強度を信号レベル検出回路７で検出する。さらに、所望の広い周波数域を掃引幅と等しい所定の周波数幅で区分し、各区分毎に、第１の局部発振信号の周波数を設定して、各区分で掃引処理を繰り返すことにより、最終的に、所望の広い周波数帯域でのスペクトラム分布を得ることができる。【選択図】図１
2008131324.tif 000002
【特許請求の範囲】
【請求項１】
受信した信号と第１の局部発振信号とを混合して第１の中間周波数信号を生成する中間周波生成手段と、
前記中間周波生成手段で生成した中間周波数信号を、所定の掃引幅で掃引する掃引手段と、
所望の周波数域を前記掃引幅と等しいかより小さい所定の周波数幅で区分し、該区分毎に、前記第１の局部発振信号の周波数を順次切り換えて設定する設定手段と、
前記設定手段が前記第１の局部発振信号の周波数を切り換えて設定する度に、前記掃引手段で前記第１の中間周波数信号を掃引し、掃引した周波数領域における受信信号の信号強度を検出する信号強度検出手段と、
前記信号強度検出手段で求めた前記所望の周波数域内の周波数の信号の強度を表示する表示手段と、
を備えることを特徴とする受信装置。
【請求項２】
前記第１の中間周波数信号に含まれる所定の周波数成分の信号を復調する復調手段と、
前記第１の中間周波数信号と第２の局部発振信号とを混合して第２の中間周波数信号を生成する第２中間周波生成手段と、
をさらに備え、
前記設定手段は、前記第１の局部発振信号の周波数を前記所定の周波数幅だけ離間した値に順次更新する更新手段を備え、
前記信号強度検出手段は、前記更新手段が第１の局部発振信号の周波数を更新する度に、前記第２の局部発振信号の周波数を所定の掃引幅内で変化させ、前記第２の中間周波数信号に含まれる所定の周波数成分の信号の信号強度を検出する手段と、を備える、
ことを特徴とする請求項１に記載の受信装置。
【請求項３】
前記信号強度検出手段は、掃引した周波数領域における受信信号の信号強度の代表値を検出する検出手段を備え、
前記表示手段は、前記検出手段が検出した代表値を、検出した周波数領域の信号強度として表示する、
ことを特徴とする請求項１又は２に記載の受信装置。
【発明の詳細な説明】
【技術分野】
【０００１】
本発明は、周波数スペクトラム作成機能を備える受信装置に関する。
【背景技術】
【０００２】
２系統の受信回路を備え、第１の受信回路で所望の周波数を受信・出力状態に設定し、第２の受信回路で受信・出力状態に設定した周波数近辺の信号を掃引して信号強度を測定する受信装置が特許文献１に開示されている。
【特許文献１】特開平６−２６８５４１号公報
【発明の開示】
【発明が解決しようとする課題】
【０００３】
特許文献１に記載の受信装置では、無線信号の受信・出力と掃引のために複数の受信回路が必要であり、回路の利用効率が低い。
また、掃引は、第２の受信回路でのみ行う。しかし、１つの受信回路で掃引可能な周波数帯域幅には限界がある。このために、広周波数帯域で信号強度を測定することは困難である。
【０００４】
本発明は、上記実情に鑑みてなされたものであり、広い周波数帯域の信号強度の測定を可能にする受信装置を実現することを目的とする。
また、本発明は、簡単な構成で無線信号の受信・出力と掃引とを可能にする受信装置を実現することを目的とする。
【課題を解決するための手段】
【０００５】
上記目的を達成するため、本発明の第１の観点に係る受信装置は、
受信した信号と第１の局部発振信号とを混合して第１の中間周波数信号を生成する中間周波生成手段と、
前記中間周波生成手段で生成した中間周波数信号を、所定の掃引幅で掃引する掃引手段と、
所望の周波数域を前記掃引幅と等しいかより小さい所定の周波数幅で区分し、該区分毎に、前記第１の局部発振信号の周波数を順次切り換えて設定する設定手段と、
前記設定手段が前記第１の局部発振信号の周波数を切り換えて設定する度に、前記掃引手段で前記第１の中間周波数信号を掃引し、掃引した周波数領域における受信信号の信号強度を検出する信号強度検出手段と、
前記信号強度検出手段で求めた前記所望の周波数域内の周波数の信号の強度を表示する表示手段と、
を備えることを特徴とする。
【０００６】
前記第１の中間周波数信号に含まれる所定の周波数成分の信号を復調する復調手段と、
前記第１の中間周波数信号と第２の局部発振信号とを混合して第２の中間周波数信号を生成する第２中間周波生成手段と、
をさらに備え、
前記設定手段は、前記第１の局部発振信号の周波数を前記所定の周波数幅だけ離間した値に順次更新する更新手段を備え、
前記信号強度検出手段は、前記更新手段が第１の局部発振信号の周波数を更新する度に、前記第２の局部発振信号の周波数を所定の掃引幅内で変化させ、前記第２の中間周波数信号に含まれる所定の周波数成分の信号の信号強度を検出する手段と、を備えてもよい。
【０００７】
前記信号強度検出手段は、掃引した周波数領域における受信信号の信号強度の代表値を検出する検出手段を備え、
前記表示手段は、前記検出手段が検出した代表値を、検出した周波数領域の信号強度として表示してもよい。
【０００８】
なお、コンピュータに上述の動作を実行させるためのコンピュータプログラムを製造・配布し、これをコンピュータにインストールし、上述の掃引機能を有する受信機として動作させることも可能である。
【発明の効果】
【０００９】
本発明によれば、広い周波数帯域の信号強度の測定が可能となる。
【発明を実施するための最良の形態】
【００１０】
本発明の実施の形態に係る受信装置１００について、図面を参照して説明する。
【００１１】
本発明の実施の形態に係る受信装置１００は、図１に示すように、アンテナ１と、混合器２Ａ及び２Ｂと、第１の局部発振器３Ａ及び第２の局部発振器３Ｂと、復調回路５と、スピーカ６と、信号レベル検出回路７と、入力装置８と、コントローラ９と、表示装置１０と、メモリ１１と、を備えている。
【００１２】
アンテナ１は、図示せぬ同調回路と共に広周波数帯域の無線信号（ＲＦ信号）を受信する。
【００１３】
混合器２Ａは、アンテナが受信したＲＦ信号と、局部発振器３Ａから供給される同調用の第１の局部発振信号とを混合し、ＲＦ信号の周波数から第１の局部発振信号の周波数を減算した周波数を有する第１の中間周波数信号（以下、第１のＩＦ信号という）を生成して、復調回路５および、混合器２Ｂに供給する。
【００１４】
混合器２Ｂは、混合器２Ａから供給された第１のＩＦ信号と第２の局部発振器３Ｂから供給される掃引用の第２の局部発振信号とを混合し、第１のＩＦ信号の周波数から第２の局部発振信号の周波数を減算した周波数を有する第２の中間周波数信号（以下、第２のＩＦ信号という）を生成して、信号レベル検出回路７に供給する。
【００１５】
局部発振器３Ａは、可変周波数発振器等より構成されており、コントローラ９の制御に従って、同調用の第１の局部発振信号を生成し、混合器２Ａに供給する。
【００１６】
局部発振器３Ｂは、可変周波数発振器等より構成されており、コントローラ９の制御に従って、掃引用の第２の局部発振信号を生成し、混合器２Ｂに供給する。
【００１７】
復調回路５は、入力段等に帯域通過フィルタ（ＢＰＦ）４Ａを備え、ＢＰＦ４Ａを通過した信号を復調して、音声信号を出力し、スピーカ６に供給し、放音させる。
【００１８】
スピーカ６は、復調回路５から供給された音声信号を出力する。
【００１９】
信号レベル検出回路７は、入力段等に帯域通過フィルタ（ＢＰＦ）４Ｂを備え、ＢＰＦ４Ｂを通過した信号の信号強度を検出し、コントローラ９に通知する。
【００２０】
ＢＰＦ４Ａの通過帯域の中間周波数とＢＰＦ４Ｂの通過帯域の中間周波数とは、後述するように所定の関係を満たす。
【００２１】
入力装置８は、各種のボタン等を備え、ユーザは、入力装置８から各種情報を入力する。例えば、ユーザは、入力装置８から、ＲＦ信号のスペクトラムを表示させるように、コントローラ９に指示情報を入力する。
【００２２】
コントローラ９は、マイクロプロセッサなどから構成され、この受信装置１００全体の動作を制御する。
コントローラ９は、例えば、入力装置８から受信周波数が指示された際には、受信したＲＦ信号のうちの指示された特定の周波数成分の復調信号に相当する音声信号がスピーカ６から出力されるように、第１の局部発振器３Ａの発振周波数を制御する。
また、コントローラ９は、復調中のＲＦ信号の周波数の近辺の周波数帯域を掃引するように、第２の局部発振器３Ｂの発振周波数を制御する。
また、コントローラ９は、信号レベル検出回路７が検出した周波数と信号強度との関係（部分スペクトラム）を、メモリ１１に格納し、メモリ１１に格納した情報から、表示装置１０にＲＦ信号の信号強度スペクトラムを表示させる。
【００２３】
表示装置１０は、液晶表示素子等から構成され、コントローラ９の制御のもと、種々の情報を表示する。例えば、表示装置１０は、ＲＦ信号の信号強度スペクトラムを表示する。
【００２４】
（動作）
次に、この受信装置１００の動作を説明する。
この受信装置１００の一般的な受信動作は通常の無線受信機と実質的に同一であり、第１の局部発信機３Ａの周波数を調整することにより、目的周波数をＢＰＦ４Ａの通過帯域の中間周波数に一致させ、復調回路５で復調して、スピーカ６で出力（放音）するというものである。
【００２５】
次に、この実施例に特徴的な、周波数スペクトラムを作成し、表示する動作について説明する。この動作は、例えば、ユーザが入力装置８から周波数スペクトラムの生成・表示をコントローラ９に指示した際に実行される。
【００２６】
前提として、作成する周波数スペクトラムのＲＦ信号のスキャン範囲はｆＬ〜ｆＨ、第２の局部発振器３Ｂの可変周波数範囲（掃引幅）をｆｗとし、スキャン範囲ｆＬ〜ｆＨは掃引幅ｆｗより十分大きいものとする。
【００２７】
また、ＢＰＦ４Ａの通過帯域の中心周波数をｆｃＡ、ＢＰＦ４Ｂの通過帯域の中心周波数をｆｃＢとする。
【００２８】
コントローラ９は、指示に従って、図３のフローチャートに示す処理を開始する。まず、図２に示すように、コントローラ９は、スキャン範囲ｆＬ〜ｆＨを、掃引幅ｆｗ毎の帯域に区切り、区切った各帯域の中心周波数ｆｉ１〜ｆｉｎを求め、メモリ１１に記録する（ステップＳ１１）。
【００２９】
次に、コントローラ９は、ステップＳ１１で求めた中間の周波数ｆｉ１〜ｆｉｎのうちから１つの周波数ｆiｘ（ｘは、１〜ｎの整数）を選択し、ＲＦ信号の周波数ｆｉｘの成分に対応する音声信号がスピーカ６より出力されるように、第１の局部発振器３Ａの発振周波数を制御する（ステップＳ１２）。具体的には、コントローラ９は、第１の局部発振器３Ａが発生する第１の局部発振信号の周波数をｆｉｘ−ｆｃＡに設定する。このように設定することで、アンテナ１が受信したＲＦ信号のうち、周波数ｆｉｘの近傍の周波数の信号のみが、混合器２Ａによって、ＢＰＦ４Ａを通過可能な周波数領域であるｆｃＡ近辺の周波数に変換される。即ち、周波数ｆｉｘのＲＦ信号は、第１の混合器２Ａにより、周波数がｆｉｘ−ｆｃＡである第１の局部発振信号と混合され、周波数がｆｉｘ−（ｆｉｘ−ｆｃＡ）＝ｆｃＡである第１のＩＦ信号に変換される。この第１のＩＦ信号は、ＢＰＦ４Ａの通過帯域を通過し、復調回路５で復調される。ただし、一般には、放音はしない。
【００３０】
この状態で、コントローラ９は、掃引用の第２の局部発振器３Ｂを制御して、掃引用の第２の局部発振信号の周波数を（ｆｃＡ−ｆｃＢ−ｆｗ／２）〜（ｆｃＡ−ｆｃＢ＋ｆｗ／２）の範囲で連続的に変化させ、そのときのＲＦ信号の周波数と、その周波数における信号レベルとを対応付けて記憶する（ステップＳ１３）。
【００３１】
ここで、理解を容易にするため、第２の局部発振信号の周波数を（ｆｃＡ−ｆｃＢ）と仮定する。
すると、第１のＩＦ信号のうち、周波数がｆｃＡの信号が、第２の混合機２Ｂにより、周波数がｆｃＡ−（ｆｃＡ−ｆｃＢ）＝ｆｃＢの第２のＩＦ信号に変換される。この第２のＩＦ信号は、通過帯域の中心周波数がｆｃＢであるＢＰＦ４Ｂを通過し、信号レベル検出回路７でその信号レベルが検出され、コントローラ９に通知される。
【００３２】
コントローラ９は、このときのＲＦ信号の周波数と信号レベル検出回路７から通知された信号レベルとを対応付けてメモリ１１に格納する。
具体的には、ｆｃＢ＋その時点での第２の局部発振信号の周波数＋その時点での第１の局部発振信号の周波数と信号レベルとを対応付けてメモリ１１に格納する。
【００３３】
すなわち、コントローラ９は、第２の局部発振信号の周波数をｆｃＡ−ｆｃＢを中心とした±ｆｗ／２の範囲で所定の周波数幅Δｆ毎に変化させ、その時点での信号レベル検出回路７の検出した信号レベルと対応するＲＦ信号の周波数とを対応付けてメモリ１１に格納する。なお、上述の周波数幅Δｆは、掃引幅ｆｗより十分小さい周波数幅である。
これにより、ＲＦ信号の（ｆｉｘ−ｆｗ／２）〜（ｆｉｘ＋ｆｗ／２）の範囲、即ち、ｆＬ〜ｆＨのスキャン範囲内の掃引幅ｆｗの一区画内での周波数と信号レベルとの関係（部分スペクトラム）がメモリ１１内に記憶される。具体的には、メモリ１１には、（ｆｉｘ−ｆｗ／２）、（ｆｉｘ−ｆｗ／２＋Δｆ）、（ｆｉｘ−ｆｗ／２＋２Δｆ）、（ｆｉｘ−ｆｗ／２＋３Δｆ）、…、（ｆｉｘ＋ｆｗ／２）の各周波数と、その各周波数における信号レベルとが関連付けられて記憶される。
【００３４】
続いてコントローラ９は、メモリ１１に記憶した掃引幅ｆｗの部分スペクトラムを、表示装置１０に表示させる（ステップＳ１４）。
以上で、１区画分の処理が終了する。
【００３５】
そして、コントローラ９は、上記のＳ１２〜Ｓ１４の処理が行われていない周波数ｆｉ１〜ｆｉｎ（区分）が残っているか否かを判別し（ステップＳ１５）、残っている場合（ステップＳ１５；Ｙｅｓ）、その区分に対してＳ１２〜Ｓ１４の処理を繰り返す。
【００３６】
スキャン範囲内の全ての区分で処理が完了すると（ステップＳ１５；Ｎｏ）、コントローラ９は、メモリ１１に格納されている全区分のＲＦ信号の周波数対信号強度の情報（部分スペクトラム）を読み出し、これらを連結して、スキャン範囲ｆＬ〜ｆＨの周波数領域の周波数スペクトラムを作成する（ステップＳ１６）。
このようにして作成される周波数スペクトラムは、図４に示すように、掃引幅ｆｗより十分に広いスキャン幅ｆＬ〜ｆＨを有した、スペクトラムとなる。
【００３７】
続いて、コントローラ９は、作成した周波数スペクトラムを表示装置１０に表示する。
【００３８】
ユーザは、この表示から、例えば、信号の存在する周波数を判別して、そこに同調させたり、あるいは、ノイズをカットするように、フィルタを調整する。
【００３９】
次に、受信装置１００による、周波数スペクトラムを作成し、表示する動作の例について、より具体的に説明する。
【００４０】
前提として、作成する周波数スペクトラムのＲＦ信号のスキャン範囲は２５０ＭＨｚ〜１７５０ＭＨｚ、第２の局部発振器３Ｂの可変周波数範囲（掃引幅ｆｗ）を１０ＭＨｚとする。
【００４１】
処理の開始が指示されると、まず、コントローラ９は、スキャン範囲２５０ＭＨｚ〜１７５０ＭＨｚを、掃引幅１０ＭＨｚの帯域、すなわち２５０ＭＨｚ〜２６０ＭＨｚ、２６０ＭＨｚ〜２７０ＭＨｚ、…、１７４０ＭＨｚ〜１７５０ＭＨｚの１５０個の帯域に区切る。そして、各帯域の中心周波数（２５５ＭＨｚ、２６５ＭＨｚ、…、１７４５ＭＨｚ）を求めて、メモリ１１に記録する（ステップＳ１１）。
【００４２】
次に、コントローラ９は、ステップＳ１１で求めた中間周波数のうちから１つの周波数（例えば２５５ＭＨｚ）を選択し、ＲＦ信号の周波数２５５ＭＨｚの成分に対応する音声信号がスピーカ６より出力されるように、第１の局部発振器３Ａの発振周波数を制御する（ステップＳ１２）。
【００４３】
この状態で、コントローラ９は、掃引用の第２の局部発振器３Ｂを制御して、掃引用の第２の局部発振信号の周波数を（ｆｃＡ−ｆｃＢ−５ＭＨｚ）〜（ｆｃＡ−ｆｃＢ＋５ＭＨｚ）の範囲で所定の周波数幅（１ＭＨｚ）毎に連続的に変化させ、このときのＲＦ信号の周波数と信号レベル検出回路７から通知された信号レベルとを対応付けてメモリ１１に格納する（ステップＳ１３）。すなわち、２５０ＭＨｚ、２５１ＭＨｚ、２５２ＭＨｚ、…、２６０ＭＨｚの各周波数と、その各周波数における信号レベルとが対応付いてメモリ１１内に記憶される。
【００４４】
続いてコントローラ９は、ステップＳ１３でメモリ１１に記憶した情報を読み出し、周波数帯域２５０ＭＨｚ〜２６０ＭＨｚにおける信号レベルを一覧表示した部分スペクトラムを表示装置１０に表示させる（ステップＳ１４）。
そして、１区画（２５０ＭＨｚ〜２６０ＭＨｚ）分の処理が終了する。
【００４５】
そして、コントローラ９は、他のスキャン範囲内の区分（２６０ＭＨｚ〜２７０ＭＨｚ、…、１７４０ＭＨｚ〜１７５０ＭＨｚ）に対して、Ｓ１２〜Ｓ１４の処理を繰り返す。
【００４６】
スキャン範囲（２５０ＭＨｚ〜１７５０ＭＨｚ）内の全ての区分で処理が完了すると、コントローラ９は、メモリ１１に格納されている全区分の部分スペクトラムを読み出し、これらを連結して、スキャン範囲（２５０ＭＨｚ〜１７５０ＭＨｚ）の周波数領域の周波数スペクトラムを作成し、表示装置１０に表示する（ステップＳ１６）。
【００４７】
以上説明したように、この実施の形態によれば、受信したＲＦ信号と第１の局部発振信号とを混合機２Ａで混合して第１のＩＦ信号を生成して復調・出力する一方で、第１のＩＦ信号を、所定の掃引幅ｆｗで掃引し、掃引した周波数領域における受信信号の信号強度を信号レベル検出回路７で検出し、さらに、所望の広い周波数域ｆＬ〜ｆＨを掃引幅ｆｗと等しい所定の周波数幅で区分し、区分毎に前記第１の局部発振信号の周波数を設定することにより、最終的に、ｆＬ〜ｆＨの広い範囲でのスペクトラム分布を得ることができる。従って、２つの受信回路などを設ける必要なく、しかも、広い範囲の掃引が可能となる。
【００４８】
なお、この発明は上記実施形態に限定されず、種々の変形及び応用が可能である。
【００４９】
例えば、上記実施の形態では、スキャン範囲ｆＬ〜ｆＨを、第２の局部発信機３Ｂの掃引幅ｆｗで区画したが、ｆｗより小さい幅で区画するようにしてもよい。この場合、得られる部分スペクトラムの端部が重なるがその部分を適宜調整すればよい。
【００５０】
例えば、上記実施の形態では、各区画において、所定の周波数幅Δｆ毎に信号レベルをメモリ１１に記憶したが、各区画における最大の信号レベルのみを記憶するようにしてもよい。以下、このような処理を行う受信装置の周波数スペクトラム作成処理について、図５を参照して説明する。なお、以下に説明する受信装置は、図１に示す受信装置１００と同一の構成を有しているため、同一の符号を用いて以下説明を行う。
【００５１】
まず、処理が開始されると、コントローラ９は、スキャン範囲ｆＬ〜ｆＨを、掃引幅ｆｗ毎の帯域に区切り、区切った各帯域の中心周波数ｆｉ１〜ｆｉｎを求め、メモリ１１に記録する（ステップＳ２１）。なお、この処理は図３のステップＳ１１の処理と実質的に同一の処理である。
【００５２】
続いて、コントローラ９は、ステップＳ２１で求めた中間の周波数ｆｉ１〜ｆｉｎのうちから１つの周波数ｆiｘ（ｘは、１〜ｎの整数）を選択し、第１の局部発振器３Ａの発振周波数を制御する（ステップＳ２２）。なお、この処理は図３のステップＳ１２の処理と実質的に同一の処理である。
【００５３】
続いて、コントローラ９は、掃引用の第２の局部発振器３Ｂを制御して、掃引用の第２の局部発振信号の周波数を（ｆｃＡ−ｆｃＢ−ｆｗ／２）〜（ｆｃＡ−ｆｃＢ＋ｆｗ／２）の範囲で連続的に変化させ、そのときのＲＦ信号の周波数とその周波数における信号レベルとを対応付けてメモリ１１に記憶する（ステップＳ２３）。なお、この処理は図３のステップＳ１３の処理と実質的に同一の処理である。すなわち、メモリ１１には、（ｆｉｘ−ｆｗ／２）、（ｆｉｘ−ｆｗ／２＋Δｆ）、（ｆｉｘ−ｆｗ／２＋２Δｆ）、（ｆｉｘ−ｆｗ／２＋３Δｆ）、…、（ｆｉｘ＋ｆｗ／２）の各周波数と、その各周波数における信号レベルとが関連付いて記憶される。
【００５４】
続いて、コントローラ９は、ステップＳ２３で記憶した複数の信号レベルのうち、最大の信号レベルを検出し、その信号レベルと、区画の中心の周波数、即ちｆｉｘとを対応付けて、メモリ１１に記憶する（ステップＳ２４）。そして、コントローラ９は、ステップＳ２３の処理よってメモリ１１に対応付けて記憶した周波数と信号レベルとの組を消去する（ステップＳ２５）。
【００５５】
続いて、コントローラ９は、ステップＳ２４で、メモリ１１に記憶した区画の中心の周波数（ｆｉｘ）と、その中心の周波数に対応付いて記憶されている区画内での最大の信号レベルとを、表示装置１０に表示させる（ステップＳ２６）。
【００５６】
続いて、コントローラ９は、上記のＳ２２〜Ｓ２６の処理が行われていない周波数ｆｉ１〜ｆｉｎ（区分）が残っているか否かを判別し（ステップＳ２７）、残っている場合（ステップＳ２７；Ｙｅｓ）、その区分に対してＳ２２〜Ｓ２６の処理を繰り返す。
以上で、１区画分の処理が終了する。
【００５７】
スキャン範囲内の全ての区分で処理が完了すると（ステップＳ２７；Ｎｏ）、コントローラ９は、ステップＳ２４の処理によりメモリ１１に対応付けて記憶した各区分の中間の周波数と、その区分における最大の信号レベルとの組みを読み出して、これらを連結して、スキャン範囲ｆＬ〜ｆＨの周波数領域の周波数スペクトラムを作成する（ステップＳ２８）。
このようにして作成された周波数スペクトラムは、図６に示すように、各区分ｆｗ毎に、最大で１つの信号強度が表示されるものとなるため、簡略化された表示となり、より視認性が向上する。また、メモリ１３には、各区分毎に、最大の信号強度のみが記憶されることになるために、メモリ１３の記憶サイズをより小さくすることが可能となる。
なお、各区分毎に、最大の信号レベルを求め、それを各区分の信号レベルとして周波数スペクトラムに表示したが、各区分毎に平均の信号レベルや、２番目に大きい信号レベル等を求めて、それを各区分の信号レベルとして周波数スペクトラムに表示してもよい。要するに、区分内で複数検出された信号レベルから、１つの信号レベルをその区画の信号レベルとして代表的に検出できればよく、その検出の条件は任意である。
また、各区分毎に代表値としてメモリ１１に記憶させる信号レベルと周波数の組みは１つに限定されるものではない。例えば、各区画毎に周波数に対応する信号レベルの最大値と平均値とを抽出して、メモリ１１に記憶してもよい。そして、全区画での代表値の抽出・記憶処理が完了した後に、どの代表値に基づいた周波数スペクラムを表示させるのかを、ユーザの入力装置８の操作等によって選択させ、それに基づいた代表値の周波数スペクトラムを表示させるようにしてもよい。
【００５８】
また、図６に示す処理では、各区分の処理毎にその区分内での代表値（信号レベルの最大値）を抽出し（ステップＳ２４）、代表値以外の周波数と信号レベルとの組みを消去した（ステップＳ２５）。しかし、図７に示す処理のようにこれらの処理（ステップＳ２４、Ｓ２５）を行わず、全ての区分での処理が終了した後に（ステップＳ２７；Ｎｏ）、各区分の代表値を抽出し（ステップＳ３１）、その代表値に基づいて周波数スペクトラムを作成・表示（ステップＳ３２）してもよい。
このような処理で周波数スペクトラムを作成した場合には、メモリ１１には全区分に渡って代表値以外の周波数と信号レベルも対応付いて記憶される。そのため、周波数スペクトラムを表示した後でも、入力装置８を操作することにより、代表値の検出の条件を変えた周波数スペクトラムや、代表値を算出しないで全てのデータを連結させた図４に示すような周波数スペクトラム等を、切り換えて表示することが可能となる。
【００５９】
また上述の周波数関係は、理解を容易にするための一例であり、同様の機能が実現できるならば、周波数関係は任意に設定可能である。
また、理解を容易にするため、復調回路５と信号レベル検出回路７の入力段にＢＰＦ４Ａと４Ｂを配置して、処理対象の信号を特定（限定；制限）したが、処理対象或いは注目する信号（周波数）を特定・限定する手法は任意である。
【００６０】
上記実施の形態においては、予めスキャン範囲ｆＬ〜ｆＨ、掃引幅ｆｗ等が定められていたが、例えば、これらの全部又は一部をユーザが指定できるようにしてもよい。
この場合、例えば、ユーザは、ｆＬ、ｆＨ，ｆｗ等のパラメータを入力装置８からコントローラ９に入力する。コントローラ９は、上述のように、スキャン範囲ｆＨ−ｆＬを求め、これを掃引幅ｆｗで区分する。そして、上述の周波数関係が成立するように、第１の局部発信機３Ａによる第１の局部発振周波数や、第２の局部発信機３Ｂによる第２の局部発振信号の掃引周波数を制御する。
【００６１】
また、上記実施の形態では、ディスクリート部品で回路を設計する例を示したが、例えば、入力信号を一旦Ａ／Ｄ変換し、ＤＳＰ（Digital Sigal Processor）でほぼ全て或いは一部の処理を実行するようにしてもよい。
【００６２】
また、上記実施の形態にかかる受信装置のコントローラ９が行う機能は、汎用のマイクロプロセッサやＤＳＰによって実現することもできる。この場合、プロセッサに上記各処理を実現するためのプログラムを実行させる等してもよい。
【図面の簡単な説明】
【００６３】
【図１】本発明の一実施の形態に係る受信装置のブロック図である。
【図２】スキャン範囲と掃引区画との関係を示す図である。
【図３】図１のコントローラが周波数スペクトラム作成処理で実行する処理のフローチャートである。
【図４】周波数スペクトラムの一例を示す図である。
【図５】図１のコントローラが周波数スペクトラム作成処理で実行する処理のフローチャートである。
【図６】図５に示す処理によって作成される、周波数スペクトラムの一例を示す図である。
【図７】図１のコントローラが周波数スペクトラム作成処理で実行する処理のフローチャートである。
【符号の説明】
【００６４】
１  アンテナ
２Ａ，２Ｂ  混合器
３Ａ，３Ｂ  局部発振器
４Ａ，４Ｂ  ＢＰＦ
５  復調回路
６  スピーカ
７  信号レベル検出回路
８  入力装置
９  コントローラ
１０  表示装置
１１  メモリ
１００  受信装置
【図１】
2008131324.tif 000003
【図２】
2008131324.tif 000004
【図３】
2008131324.tif 000005
【図４】
2008131324.tif 000006
【図５】
2008131324.tif 000007
【図６】
2008131324.tif 000008
【図７】
2008131324.tif 000009